(57)【要約】  【課題】簡易な構造により、尿道留置具が尿道内の奥に誤侵入するのを防止することのできる尿道留置装置を提供する。  【解決手段】尿道留置装置１は、尿道内に留置される細棒形状の尿道留置具１０と、平板形状の進入防止チップ２０，３０と、尿道留置具１０と進入防止チップ２０，３０とを連結する連結糸６２と、一端が進入防止チップ２０，３０に接続され、尿道留置具１０を尿道から引き抜くための引抜糸６５と、を備え、連結糸６２は、進入防止チップ２０，３０の第一平面２０ａ，３０ａの中央付近に接続されている。【選択図】図１
2020000736.tif 000002
【特許請求の範囲】
【請求項１】
尿道内に留置される細棒形状の尿道留置具と、
平板形状の進入防止チップと、
前記尿道留置具と前記進入防止チップとを連結する連結糸と、
一端が前記進入防止チップに接続され、前記尿道留置具を前記尿道から引き抜くための引抜糸と、を備え、
前記連結糸は、前記進入防止チップの第一平面の中央付近に接続されていることを特徴とする尿道留置装置。
【請求項２】
前記引抜糸は、前記進入防止チップの周縁付近に接続されていることを特徴とする請求項１記載の尿道留置装置。
【請求項３】
前記進入防止チップの周縁には鋭角部が形成され、前記引抜糸は前記鋭角部に接続されていることを特徴とする請求項２記載の尿道留置装置。
【請求項４】
前記連結糸と前記引抜糸は一本の連続した連続糸であり、
前記進入防止チップは、その中央付近に中央小孔が形成され、周縁付近に周縁小孔が形成され、前記中央小孔と前記周縁小孔との間に第三小孔が形成されており、
前記連続糸は、手元側の端が前記第一平面側から前記中央小孔に通され、続いて、第二平面側から前記第三小孔に通され、再度前記第一平面側から前記周縁小孔に順に通されていることを特徴とする請求項２又は３記載の尿道留置装置。
【請求項５】
前記中央小孔、前記周縁小孔及び前記第三小孔の内径は、前記連続糸の外径よりも僅かに大きく形成されており、前記進入防止チップは前記連続糸に対して相対的に移動可能に設置されていることを特徴とする請求項４記載の尿道留置装置。
【請求項６】
前記連結糸の長さは6mm以上、36mm以下であり、前記進入防止チップは、外尿道括約筋に引っ掛かることで前記尿道留置具が奥へ誤進入するのを防止することを特徴とする請求項１乃至５何れか１項記載の尿道留置装置。
【請求項７】
前記引抜糸の前記進入防止チップから所定の距離離れた位置に設置された、先端側の前記引抜糸が第一平面の中央付近に接続された第二の進入防止チップをさらに備えることを特徴とする請求項１乃至６何れか１項記載の尿道留置装置。
【請求項８】
尿道内に留置される細棒形状の尿道留置具が奥に誤進入するのを防止するための進入防止具において、
平板形状の進入防止チップと、
前記尿道留置具と前記進入防止チップとを連結する連結糸と、
一端が前記進入防止チップに接続され、前記尿道留置具を前記尿道から引き抜くための引抜糸と、を備え、
前記連結糸は、前記進入防止チップの第一平面の中央付近に接続されていることを特徴とする進入防止具。
【発明の詳細な説明】
【技術分野】
【０００１】
本発明は、尿道に留置する尿道留置装置に関する。
【背景技術】
【０００２】
前立腺の肥大等により、尿道が閉じたり狭くなったりして排尿障害が生じてしまった場合には、尿道を広げるための尿道ステント（尿道留置具）を尿道内に設置する治療が行われている。
【０００３】
このような尿道ステントは、例えば、下記特許文献１〜３に開示されている。尿道ステントは、前立腺部尿道等の所定の位置に留置する必要があり、また、尿道ステントが奥に入りすぎて全体が膀胱内に入ってしまうと、外に取り出すのが困難になってしまう場合もある。
【０００４】
このため、下記特許文献１〜３では、尿道ステントを所定の位置に留置させると共に、奥に入りすぎてしまうのを防止するために、尿道内の所定の部位に係合して奥への進入を防止するストッパーや、尿道内で膨張するバルーン等が設置されている。
【先行技術文献】
【特許文献】
【０００５】
【特許文献１】特開２００３−５２８３５号公報
【特許文献２】特表２００８−５４３４９９号公報
【特許文献３】特許第４０２５６４８号公報
【発明の概要】
【発明が解決しようとする課題】
【０００６】
しかし、所定の部位に確実に係合させるために、ストッパーのサイズを大きくすると、尿道の入口である外尿道口から留置位置までストッパーを尿道内に挿入するのが困難となり、使用者の負担も増す。また、バルーンを用いる場合には、構造が複雑になってしまい、使用者の負担も大きい。
【０００７】
本発明は、このような課題に鑑みてなされたものであり、簡易な構造により、尿道留置具が尿道内の奥に誤侵入するのを防止することのできる尿道留置装置を提供することを目的とする。
【課題を解決するための手段】
【０００８】
上記課題を解決するための本発明に係る尿道留置装置は、尿道内に留置される細棒形状の尿道留置具と、平板形状の進入防止チップと、前記尿道留置具と前記進入防止チップとを連結する連結糸と、一端が前記進入防止チップに接続され、前記尿道留置具を前記尿道から引き抜くための引抜糸と、を備え、前記連結糸は、前記進入防止チップの第一平面の中央付近に接続されていることを特徴とする。
【０００９】
また、本発明にかかる進入防止具は、尿道内に留置される細棒形状の尿道留置具が奥に誤進入するのを防止するための進入防止具において、平板形状の進入防止チップと、前記尿道留置具と前記進入防止チップとを連結する連結糸と、一端が前記進入防止チップに接続され、前記尿道留置具を前記尿道から引き抜くための引抜糸と、を備え、前記連結糸は、前記進入防止チップの第一平面の中央付近に接続されていることを特徴とする。
【発明の効果】
【００１０】
本発明に係る尿道留置装置によれば、第一平面の中央付近が連結糸で尿道留置具と連結された平板形状の進入防止チップが外尿道括約筋や外尿道口に引っ掛かることで、尿道留置具が奥へ誤進入するのを防止することができる。
【図面の簡単な説明】
【００１１】
【図１】図１は、本発明の実施形態に係る尿道留置装置の構成を示す斜視図である。
【図２】図２は、本発明の実施形態に係る第一進入防止チップの斜視図である。
【図３】図３は、本発明の実施形態に係る第二進入防止チップの斜視図である。
【図４】図４は、本発明の実施形態に係る予備チップの斜視図である。
【図５】図５は、本発明の実施形態に係る前立腺チップの構成を示す図である。
【図６】図６は、本発明の実施形態に係る尿道留置装置の使用状態を示す図である。
【図７】図７は、本発明の実施形態に係る尿道留置装置の使用状態を示す図である。
【図８】図８は、本発明の実施形態の変形例に係る尿道留置装置の使用状態を示す図である。
【発明を実施するための形態】
【００１２】
以下、図面を参照しながら、本発明の実施形態について説明する。本実施形態では、尿道留置具として、尿道内の前立腺部に留置されて尿道を広げるための前立腺チップを採用し、この前立腺チップが膀胱Ａ内へと奥に誤進入してしまうのを防止するための進入防止具を有する尿道留置装置について説明する。
【００１３】
図１に示すように、尿道留置装置１は、尿道留置具である前立腺チップ１０と、前立腺チップ１０が膀胱へと誤進入してしまうのを防止する進入防止具１５とを備えている。なお、本実施形態では、前立腺チップ１０の尿道内への留置の際に尿道内に先に挿入される側を先端側とし、後から挿入される後側を手元側とする。
【００１４】
前立腺チップ１０は、ガラス製の棒状部材であり、尿道内への留置時に前立腺部尿道Ｂに位置し、前立腺部尿道Ｂを広げて尿の通りを確保するように機能する。図５（ａ）は、前立腺チップ１０の平面図を示し、図５（ｂ）は、前立腺チップ１０の側面図を示している。
【００１５】
前立腺チップ１０は、偏平部や突起部を備えており、尿道内壁面と前立腺チップ１０の表面との間に尿の流れる隙間を形成する。前立腺チップ１０の手元側の後端には、後述する連続糸６０の先端が内部に一体に埋め込まれた状態で接続固定されている。
【００１６】
進入防止具１５は、第一進入防止チップ２０と、第二進入防止チップ３０と、予備チップ４０と、連続糸６０とを備えている。前立腺チップ１０の留置後、第一進入防止チップ２０は、外尿道括約筋Ｋの入口に接触して引っ掛かることで、誤進入を防止し、第二進入防止チップ３０は、外尿道口Ｅの入口に接触して引っ掛かることで誤進入を防止する。予備チップ４０は、連続糸６０の手元側端部付近に設置しておくことで、連続糸６０の手元側端部を使用者が認識し易くなり、連続糸６０全体が尿道内に入ってしまうことを防止する。
【００１７】
第一進入防止チップ２０は、略三角形状の平板であり、その重心部分である中央に中央小孔２５、頂角部分（鋭角部２１）の周縁付近に周縁小孔２６が形成されている。また、中央小孔２５と周縁小孔２６との間には、第三小孔２７が形成されている。中央小孔２５と周縁小孔２６は、頂角の二等分線上に形成されているが、第三小孔２７は、二等分線上からずれて、二等分線と周縁との中間付近に形成されている。
【００１８】
第二進入防止チップ３０は、略長方形状の平板であり、その重心部分である中央に中央小孔３５、短辺側の周縁付近に周縁小孔３６が形成されている。また、中央小孔３５と周縁小孔３６との間には、第三小孔３７が形成されている。中央小孔３５と周縁小孔３６は、長方形状平板の長辺に平行な二等分線上に形成されているが、第三小孔３７は、二等分線上からずれて、二等分線と周縁との中間付近に形成されている。
【００１９】
予備チップ４０は、第二進入防止チップ３０よりも一回り小さい長方形状の平板であり、その重心部分である中央に中央小孔４５、短辺側の周縁付近に周縁小孔４６が形成されている。また、中央小孔４５と周縁小孔４６との間には、第三小孔４７が形成されている。中央小孔４５と周縁小孔４６は、長方形状平板の長辺に平行な二等分線上に形成されているが、第三小孔４７は、二等分線上からずれて、二等分線と周縁との中間付近に形成されている。
【００２０】
連続糸６０は、一本の長尺の糸であり、本実施形態では、縫合糸を用いている。前立腺チップ１０、第一進入防止チップ２０、第二進入防止チップ３０及び予備チップ４０が順次一本の連続糸６０により連結されている。本実施形態では、前立腺チップ１０側から尿道内に挿入されるので、連続糸６０の前立腺チップ１０側が先端側、予備チップ４０側が手元側となる。
【００２１】
具体的には、連続糸６０の先端側の端部が前立腺チップ１０の手元側の端部に一体に接続固定され、また、連続糸６０は、手元側に向かって、順次、第一進入防止チップ２０の小孔２５，２７，２６、第二進入防止チップ３０の小孔３５，３７，３６、予備チップ４０の小孔４５，４７，４６に順次通されている。
【００２２】
第一進入防止チップ２０においては、連続糸６０の手元側の端が第一平面２０ａ側から中央小孔２５に通され、続いて、第二平面２０ｂ側から第三小孔２７に通され、再度第一平面側２０ａから周縁小孔２６に通されている。
【００２３】
また、第二進入防止チップ３０においも同様に、連続糸６０の手元側の端が、中央小孔３５、第三小孔３７、周縁小孔３６に順次通され、予備チップ４０においても同様に、連続糸６０の手元側の端が、中央小孔４５、第三小孔４７、周縁小孔４６に順次通されている。
【００２４】
本実施形態では、連続糸６０のうち、前立腺チップ１０と第一進入防止チップ２０とを連結する部分を連結糸６２と称し、第一進入防止チップ２０から手元側の部分を引抜糸６５と称する。
【００２５】
続いて、尿道留置装置１のサイズの一例について説明する。棒状の前立腺チップ１０の長さは約30mm、三角形状平板の第一進入防止チップ２０の底辺の長さは約8mm、高さは約10mmである。長方形状平板の第二進入防止チップ３０の短辺の長さは約8mm、長辺の長さは約10mm、長方形状平板の予備チップ４０の短辺の長さは約4mm、長辺の長さは約6mmである。
【００２６】
また、小孔２５〜２７，３５〜３７，４５〜４７の内径は約0.28mm、連続糸６０の外径が約0.25mmであり、小孔２５〜２７，３５〜３７，４５〜４７の内径のほうが連続糸６０の外径よりも僅かに大きい。このため、進入防止チップ２０，３０や予備チップ４０において、連続糸６０が大きく緩んでいると、進入防止チップ２０，３０や予備チップ４０を連続糸６０に対して滑らせて相対的に移動させることができる。
【００２７】
一方、進入防止チップ２０，３０や予備チップ４０において、小孔２５〜２７，３５〜３７，４５〜４７に通された連続糸６０にある程度テンションがかかって緩んでいない場合には、進入防止チップ２０，３０や予備チップ４０は連続糸６０に対して所定の位置に固定され、スライドすることはない。
【００２８】
このように、進入防止チップ２０，３０や予備チップ４０に連続糸６０を通す小孔を3つ形成すると共に、小孔２５〜２７，３５〜３７，４５〜４７の内径を連続糸６０の外径よりも僅かに大きくすることで、進入防止チップ２０，３０や予備チップ４０を連続糸６０に対してスライド可能な状態と、所定の位置に固定させる状態とで適宜切り換えることができる。もちろん、進入防止チップ２０，３０や予備チップ４０における小孔の数は、適宜変更可能であり、2つでもある程度固定でき、また、4つ以上であっても良い。
【００２９】
連結糸６２及び引抜糸６５の長さは、使用者の尿道の長さ等に応じて適宜変更可能であり、上述したように、第一進入防止チップ２０、第二進入防止チップ３０及び予備チップ４０を連続糸６０に対してスライドさせることで、適宜調整することが可能である。
【００３０】
連結糸６２の長さは、前立腺チップ１０が所定の前立腺部尿道Ｂに位置している留置状態において、第一進入防止チップ２０が外尿道括約筋Ｋの入口（球部尿道Ｃ側）近傍に位置している状態（図６参照）となる長さが望ましい。外尿道括約筋Ｋの平均的な長さを約6mmとすれば、連結糸６２の長さは、6mm以上が望ましく、本実施形態では、約8mmとしている。連結糸６２が6mmよりも短いと、外尿道括約筋Ｋが不要に圧迫されてしまう。
【００３１】
また、連結糸６２の長さが長すぎると、前立腺チップ１０全体が膀胱Ａ内に進入してしまうため、連結糸６２の長さは、前立腺部尿道Ｂの平均的な長さを30mmとして、
36mm以下であるのが望ましい。このように、連結糸６２の長さは、6mm以上、36mm以下であるのが望ましい。
【００３２】
また、連続糸６０のうち、前立腺チップ１０と第二進入防止チップ３０との間の部分の長さは、前立腺チップ１０の留置状態において、第二進入防止チップ３０が外尿道口Ｅの外側入口近傍に位置している状態（図６参照）となる長さが望ましい。
【００３３】
このように、前立腺チップ１０の前立腺部尿道Ｂへの留置状態において、連続糸６０によって連結された第一進入防止チップ２０が外尿道括約筋Ｋの入口近傍に位置し、第二進入防止チップ３０が外尿道口Ｅの入口近傍に位置することで、前立腺チップ１０がさらに奥に誤進入しようとしても、第一進入防止チップ２０が外尿道括約筋Ｋの入口に引っ掛かったり、第二進入防止チップ３０が外尿道口Ｅの入口に引っ掛かったりすることで、誤進入を確実に防止することができる。
【００３４】
ここで、連続糸６０に対する第一進入防止チップ２０及び第二進入防止チップ３０の位置は、前立腺チップ１０が留置状態から奥に進もうとする際に、先に第一進入防止チップ２０が外尿道括約筋Ｋに接触するように構成するのが望ましい。
【００３５】
以上、尿道留置装置１の構成について説明したが、続いて、尿道留置装置１の使用態様について、図６及び図７を参照しながら説明する。図６は、前立腺チップ１０を前立腺部尿道Ｂ内に留置した留置状態を示す一部断面図である。図７は、前立腺チップを引き抜く際の様子を示す一部断面図である。
【００３６】
前立腺チップ１０を前立腺部尿道Ｂに留置させる際には、使用者が、前立腺チップ１０を摘まんで、その先端を尿道の入り口である外尿道口Ｅの中に挿し込み、順次、前立腺チップ１０全体を尿道内に押し込む。
【００３７】
前立腺チップ１０全体が尿道に入った後は、使用者がミルキングにより陰茎の外から絞り込むように前立腺チップ１０を奥に押し込む。前立腺チップ１０の後端部が外尿道口Ｅから所定の位置まで内部に侵入すると、第一進入防止チップ２０が外尿道口Ｅに到達する。
【００３８】
このとき、連結糸６２は尿道内に入っており、連結糸６２は第一進入防止チップ２０の中央付近（中央小孔２５）に接続されている。よって、第一進入防止チップ２０の中央部分が尿道内へと引っ張られて外尿道口Ｅの入口に位置する。
【００３９】
このとき、外尿道口Ｅの入口に接触した第一進入防止チップ２０は、尿道内への挿入方向（連結糸６２の延在方向）に対して平面２０ａ，２０ｂが直交する姿勢となる。三角形状の第一進入防止チップ２０の外径（幅）は外尿道口Ｅの通常時の入口内径よりも格段に大きく、挿入方向に対して平面２０ａ，２０ｂが鉛直姿勢のままでは、入口に引っ掛かって尿道内に進入することはない。
【００４０】
この鉛直姿勢から、使用者が、第一進入防止チップ２０の平面２０ａ，２０ｂが尿道への挿入方向と平行であって、鋭角部２１から外尿道口Ｅ内に入る平行姿勢に第一進入防止チップ２０の姿勢を変更すれば、第一進入防止チップ２０を尿道内へと進入させることができる。
【００４１】
第一進入防止チップ２０が尿道内に入った後は、使用者は、前立腺チップ１０よりも外径の大きな第一進入防止チップ２０をミルキングにより尿道内の奥に押し込むことで、第一進入防止チップ２０の先端を前立腺チップ１０の後端に接触させ、第一進入防止チップ２０により前立腺チップ１０を押しながら、両者を奥へと押し込むことができる。
【００４２】
前立腺チップ１０の先端が振子部尿道Ｄ、球部尿道Ｃを経て、外尿道括約筋Ｋに到達すると、外尿道括約筋Ｋの部分は尿道が狭くなっているため、慎重に押し込む必要がある。前立腺チップ１０の先端が外尿道括約筋Ｋを通過した後、さらに、前立腺チップ１０を押し込むと、前立腺チップ１０の後端が外尿道括約筋Ｋを通過し、前立腺チップ１０全体が前立腺部尿道Ｂ内の所望の位置に留置される（留置状態。図６参照）。
【００４３】
なお、前立腺チップ１０の押し込み時に、第一進入防止チップ２０の一部や全部が外尿道括約筋Ｋ内に押し込まれてしまった場合には、引抜糸６５を引いて、第一進入防止チップ２０を球部尿道Ｃに位置させておく必要がある。第一進入防止チップ２０の一部でも外尿道括約筋Ｋ内に挟まれていると、誤進入防止機能を発揮できないからである。
【００４４】
この留置状態では、第一進入防止チップ２０は球部尿道Ｃに位置する。前立腺チップ１０の後端に接続された連結糸６２は、前立腺部尿道Ｂから外尿道括約筋Ｋ内を通って、球部尿道Ｃに位置する第一進入防止チップ２０の第一平面２０ａの中央付近に接続されている。
【００４５】
前立腺チップ１０と第一進入防止チップ２０との間の連結糸６２の長さは、前立腺部尿道Ｂの長さより僅かに長く設定されており、第一進入防止チップ２０は、第一平面２０ａの中央付近が連結糸６２によって尿道の奥へと引っ張られて、第一平面２０ａの一部が外尿道括約筋Ｋの入口部分に接触し、挿入方向に対して略鉛直な姿勢となっている。
【００４６】
第一進入防止チップ２０は、高さが10mm、底辺の長さが8mmであり、その外径（幅）は通常状態の外尿道括約筋Ｋの入口の内径よりも格段に大きいため、鉛直姿勢のままでは、第一進入防止チップ２０が外尿道括約筋Ｋ内に進入することはできない。
【００４７】
このように、第一進入防止チップ２０が外尿道括約筋Ｋの入口に接触して引っ掛かることで、連結糸６２で連結されて前立腺部尿道Ｂに位置する前立腺チップ１０が膀胱Ａへとさらに誤進入することを防止することができる。
【００４８】
平板形状の進入防止チップ２０が鉛直姿勢となると尿道が進入防止チップ２０の外径分広げられることになるが、外尿道括約筋Ｋの手前の球部尿道部Ｃは比較的幅の広い尿道部分であるため、使用者にとって過度な身体的負担とはならない。また、排尿時には、膀胱Ａから出てくる尿によって第一進入防止チップ２０が外尿道口Ｅ方向へ押されるが、連結糸６２との接続部分を中心として第一進入防止チップ２０が揺れることで、留置状態のまま尿を通過させることができる。
【００４９】
また、第二進入防止チップ３０は、何らかの原因で第一進入防止チップ２０による誤進入防止機能が機能せず、前立腺部尿道Ｂに位置する前立腺チップ１０がさらに奥へと誤進入しようとする場合に、第一進入防止チップ２０と同様に、外尿道口Ｅの入口に接触して引っ掛かり、前立腺チップ１０の誤進入を防止することができる。
【００５０】
具体的には、尿道の外に位置する第二進入防止チップ３０の第一平面３０ａの中央付近に接続された引抜糸６５により、第二進入防止チップ３０が外尿道口Ｅ内へと引っ張られると、中央小孔３５付近が外尿道口Ｅに接触し、平板形状の第二進入防止チップ３０が尿道の進入方向に略垂直な姿勢となる。
【００５１】
第二進入防止チップ３０の長辺の長さは10mmであるため、第二進入防止チップ３０が外尿道口Ｅの入口に鉛直姿勢で接触しても尿道内に容易に進入することはできない。このように、第二進入防止チップ３０が外尿道口Ｅの入口に接触して引っ掛かることでも、前立腺部尿道Ｂに位置する前立腺チップ１０の誤進入を防止することができる。なお、第二進入防止チップ３０は尿道外に位置する進入防止チップであるため、安全のためにより大きくしても良い。
【００５２】
なお、連続糸６０の手元側端部に位置する予備チップ４０は、引抜糸６５の手元端部を使用者が認識し易くなると共に、進入防止チップ２０，３０と同様の作用により、引抜糸６５の手元側端部が外尿道口Ｅから内部に入ってしまうことを防止する機能を有する。
【００５３】
なお、上述した使用態様（図６参照）を実現するために、使用者の体型に応じて、第一進入防止チップ２０及び第二進入防止チップ３０の連続糸６０に対する位置を適宜調整しておく必要がある。
【００５４】
続いて、留置状態の前立腺チップ１０を尿道外に排出する際には、引抜糸６５の手元側の部分を使用者が摘まんで引っ張ることで、前立腺チップ１０を尿道内から引っ張り出すことができる。
【００５５】
図７に示すように、前立腺チップ１０を引き抜く際には、引抜糸６５は、第一進入防止チップ２０の鋭角部２１の周縁付近（周縁小孔２６）に接続されており、引抜糸６５により引っ張られる第一進入防止チップ２０は、鋭角部２１が先頭になって尿道内を進む。このとき、第一進入防止チップ２０は、尿道の延在方向に対して平面２０ａ，２０ｂが平行な平行姿勢となっており、尿道内を比較的スムーズに進むことができる。
【００５６】
以上、本実施形態によれば、先端側の連続糸６０が第一平面２０ａ，３０ａの中央付近に接続された進入防止チップ２０，３０を設置することで、尿道の細い入口部分（外尿道括約筋Ｋや外尿道口Ｅ）において、平板形状の進入防止チップ２０，３０が挿入方向に対して鉛直姿勢となって入口部分に引っ掛かり、前立腺チップ１０の奥への誤進入を確実に防止することができる。
【００５７】
また、第一進入防止チップ２０は、鋭角部２１の周縁付近において引抜糸６２と接続されており、前立腺チップ１０を引き抜く際に、引抜糸６２により引っ張られる第一進入防止チップ２０は、鋭角部２１を先頭に尿道の方向に対して平行姿勢となり、スムーズに引き出すことができる。
【００５８】
また、万一、第一進入防止チップ２０が膀胱Ａ内に進入してしまった場合も、鋭角部２１に接続された引抜糸６２を引っ張ることで、鋭角部２１を先頭に第一進入防止チップ２０を比較的安全に膀胱Ａ内から引き出すことができる。
【００５９】
続いて、本実施形態の変形例について、図８を参照しながら説明する。図８は、本実施形態の変形例に係る前立腺チップ１０’を前立腺部尿道Ｂ内に留置した状態を示す一部断面図である。
【００６０】
本変形例に係る尿道留置装置１は、上記実施形態と比べて、前立腺チップ１０’の形状が異なるだけであり、その他の構造は同じであるため、異なる部分について説明する。
【００６１】
本変形例に係る前立腺チップ１０’は、上記実施形態に係る前立腺チップ１０よりも先端部分が長くなっており、延長部分が所定の角度傾斜している。図８に示すように、留置状態では、前立腺チップ１０’はその先端部分が内尿道括約筋Ｊを通過して膀胱Ａ内に進入しており、膀胱Ａの入口部分の内壁に沿うように位置している。
【００６２】
このように、前立腺チップ１０’の先端が膀胱Ａ内に進入し、膀胱Ａ内の内壁に沿って曲がっていることで、前立腺チップ１０’が前立腺部尿道Ｂの留置位置から排出方向に移動しようとする際に、前立腺チップ１０’の先端部分が膀胱Ａ内の入口内壁部分に引っ掛かり、排出方向への移動を防ぐことができる。
【００６３】
尿道内に留置される尿道留置具は、排尿時に尿と一緒に排出される場合も多いが、本変形例によれば、このような不要な排出を防ぐことができる。以上、本変形例によれば、上記実施形態と同様の作用効果を奏すると共に、排尿時に前立腺チップ１０’が尿と一緒に留置位置から排出方向に移動してしまうのを防止することができる。
【００６４】
以上、変形例も含めて本発明の実施形態について説明したが、本発明の実施の形態は上記実施形態に限定されるものではなく、本発明の主旨を逸脱しない範囲内で種々の変形が可能である。例えば、尿道留置装置を構成する部材の材料や形状、サイズ等は適宜変更可能である。
【００６５】
また、上記実施形態では、予備チップを除いて、第一進入防止チップと第二進入防止チップの2つの進入防止チップを設置しているが、進入防止チップは何れか1つだけでも良いし、3つ以上の進入防止チップを設置しても良い。また、予備チップは設置しなくても良い。
【００６６】
また、上記実施形態では、第一進入防止チップが外尿道括約筋に引っ掛かることで、誤進入を防止し、第二進入防止チップが外尿道口に引っ掛かることで誤進入を防止しているが、進入防止チップが誤進入防止のために接触する人体の部位はこれらに限定されるものではない。
【符号の説明】
【００６７】
１      尿道留置装置
１０    前立腺チップ
１５    進入防止具
２０    第一進入防止チップ
２０ａ  第一平面
２０ｂ  第二平面
２１    鋭角部
２５    中央小孔
２６    周縁小孔
２７    第三小孔
３０    第二進入防止チップ
３０ａ  第一平面
３０ｂ  第二平面
３５    中央小孔
３６    周縁小孔
３７    第三小孔
４０    予備チップ
４５    中央小孔
４６    周縁小孔
４７    第三小孔
６０    連続糸
６２    連結糸
６５    引抜糸
Ａ      膀胱
Ｂ      前立腺部尿道
Ｃ      球部尿道
Ｄ      振子部尿道
Ｅ      外尿道口
Ｊ      内尿道括約筋
Ｋ      外尿道括約筋
【図１】
2020000736.tif 000003
【図２】
2020000736.tif 000004
【図３】
2020000736.tif 000005
【図４】
2020000736.tif 000006
【図５】
2020000736.tif 000007
【図６】
2020000736.tif 000008
【図７】
2020000736.tif 000009
【図８】
2020000736.tif 000010